(57)【要約】【課題】  燃焼排気を油槽に十分に接触させた後に排気させることで熱交換を促進できるフライヤーを提供すること。【解決手段】  調理油が貯留される油槽２と、前記調理油を燃焼により加熱する燃焼加熱装置３と、該燃焼加熱装置３からの燃焼排気を前記油槽２の外面２ｄ、２ｅ、２ｆに接触させた後に装置外部に排気させる熱交換用の排気通路４と、を備えるフライヤー１であって、排気通路４内には複数の仕切板２０ａ、２０ｂが配設され、燃焼加熱装置３からの燃焼排気が仕切板２０ａ、２０ｂにより蛇行流動して排気されるようにした。【選択図】  図３
2007007272.tif 000002
【特許請求の範囲】
【請求項１】
調理油が貯留される油槽と、前記調理油を燃焼により加熱する燃焼加熱装置と、該燃焼加熱装置からの燃焼排気を前記油槽の外面に接触させた後に装置外部に排気させる熱交換用の排気通路と、を備えるフライヤーであって、
前記排気通路内には複数の仕切板が配設され、前記燃焼加熱装置からの燃焼排気が前記仕切板により蛇行流動して排気されるようにしたことを特徴とするフライヤー。
【請求項２】
前記仕切板は、前記燃焼排気が前記油槽の外面に対し進退する方向に蛇行流動するように配設されている請求項１に記載のフライヤー。
【請求項３】
前記仕切板は、前記燃焼排気が前記油槽の外面に沿ったまま蛇行流動するように配設されている請求項１に記載のフライヤー。
【請求項４】
前記仕切板は、前記油槽の外面に対し非接触状態で配設されている請求項１〜３のいずれかに記載のフライヤー。
【請求項５】
前記排気通路の外壁を構成する外壁板を前記油槽とは別体に形成するとともに、該外壁板に前記複数の仕切板を一体的に取り付けた請求項１〜４のいずれかに記載のフライヤー。
【発明の詳細な説明】
【技術分野】
【０００１】
本発明は、油槽に満たされた調理油を燃焼加熱装置により加熱して食材を調理するフライヤーに関する。
【背景技術】
【０００２】
従来、この種のフライヤーとしては、例えばポテトやチキン等の食材を揚げるための調理油が貯留される油槽の外面をバーナにて加熱することで調理油を加熱するとともに、油槽の周囲に、バーナからの燃焼排気を油槽外面に接触させた後に装置外部へ排出するための排気通路を設け、バーナによる加熱だけでなく、燃焼排気を油槽外面に衝突させることにより調理油を効率よく加熱できるようにし、さらにこの排気通路内には、油槽外面に溶接またはろう接された複数のフィンが配設され、燃焼排気と調理油との熱交換が促進されるようにしたもの等がある（例えば、特許文献１参照）。
【０００３】
また、上記バーナ及び排気通路を備えるフライヤーにおいて、バーナから燃焼後の高温排気を送風機によって高速に噴出させて、加熱面に存在する断熱性の境界空気膜を破壊して効率的に熱伝導が行われるようにしたもの等がある（例えば、特許文献２参照）。
【０００４】
【特許文献１】特開２００２−２０９７６２号公報（第３頁、第１−２図参照）
【特許文献２】特開２００３−５２５４９号公報（第３頁、第１−２図参照）
【発明の開示】
【発明が解決しようとする課題】
【０００５】
しかしながら、上記特許文献１に記載のフライヤーにあっては、油槽の外面に溶接された複数のフィンは、伝熱面積を増すという効果はあるが、排気通路内において、燃焼排気の排気方向に対してほぼ並行な向きに配置されていることから、燃焼排気を複数のフィンの受熱面全体に確実に接触させることはできるものの、燃焼排気が排気通路内をスムーズに流動するため、熱交換が十分に行われないまま排気されてしまうといった問題があった。
【０００６】
また、上記特許文献２に記載のフライヤーのように、バーナによる燃焼後の高温排気を高速に噴出させて加熱する場合等にあっては、燃焼排気は排気通路内を高速で流動して排気されることになるため、同じように熱交換が十分に行われないまま排気されてしまう虞がある。
【０００７】
本発明は、このような問題点に着目してなされたもので、燃焼排気を油槽に十分に接触させた後に排気させることで熱交換を促進できるフライヤーを提供することを目的とする。
【課題を解決するための手段】
【０００８】
上記課題を解決するために、本発明の請求項１に記載のフライヤーは、
調理油が貯留される油槽と、前記調理油を燃焼により加熱する燃焼加熱装置と、該燃焼加熱装置からの燃焼排気を前記油槽の外面に接触させた後に装置外部に排気させる熱交換用の排気通路と、を備えるフライヤーであって、
前記排気通路内には複数の仕切板が配設され、前記燃焼加熱装置からの燃焼排気が前記仕切板により蛇行流動して排気されるようにしたことを特徴としている。
この特徴によれば、仕切板との衝突により抵抗を受けて燃焼排気の流動速度が低下するばかりか、排気通路内における燃焼排気の流動距離が長くなり、さらに仕切板に流れが遮られることにより縮流または渦流が発生するため、油槽の外面における熱伝導率が効果的に高まり、熱交換が効果的に促進される。
【０００９】
本発明の請求項２に記載のフライヤーは、請求項１に記載のフライヤーであって、
前記仕切板は、前記燃焼排気が前記油槽の外面に対し進退する方向に蛇行流動するように配設されていることを特徴としている。
この特徴によれば、燃焼排気が仕切板により油槽の外面に向けて誘導されることで、燃焼排気が外面に衝突することになるため、熱伝導がより効率よく行われる。
【００１０】
本発明の請求項３に記載のフライヤーは、請求項１に記載のフライヤーであって、
前記仕切板は、前記燃焼排気が前記油槽の外面に沿ったまま蛇行流動するように配設されていることを特徴としている。
この特徴によれば、燃焼排気が蛇行流動しても、油槽の外面から離れることがないので、排気通路内における燃焼排気と油槽の外面との接触時間を極力長くすることができる。
【００１１】
本発明の請求項４に記載のフライヤーは、請求項１〜３のいずれかに記載のフライヤーであって、
前記仕切板は、前記油槽の外面に対し非接触状態で配設されていることを特徴としている。
この特徴によれば、油槽の熱が仕切板に直接伝達されることがないので、プレパージやポストパージの実行時において、仕切板により油槽の放熱が急速に行われることを防止でき、これにより調理油の温度調整が複雑化することを回避できる。
【００１２】
本発明の請求項５に記載のフライヤーは、請求項１〜４のいずれかに記載のフライヤーであって、
前記排気通路の外壁を構成する外壁板を前記油槽とは別体に形成するとともに、該外壁板に前記複数の仕切板を一体的に取り付けたことを特徴としている。
この特徴によれば、外壁板を油槽に取り付けることで、仕切板を簡単に排気通路に配設することができる。
【発明を実施するための最良の形態】
【００１３】
本発明の実施例を以下に説明する。
【実施例】
【００１４】
本発明の実施例を図面に基づいて説明すると、先ず図１は本発明の実施例としてのフライヤー１の全体像を示す斜視図であり、図２は図１のＡ−Ａ断面図であり、図３は図２のＢ−Ｂ断面図であり、図４は排気通路を構成する排気ユニットを示す斜視図であり、図５は排気通路の要部拡大断面図であり、図６（ａ）（ｂ）は変形例としての排気通路を示す断面図である。
【００１５】
本実施例におけるフライヤー１は、図１及び図２に示されるように、ポテトやチキン等の食材を揚げる調理油が満たされる油槽２と、油槽２の外面に外側から対向して設けられ、調理油を加熱する燃焼加熱装置３と、燃焼加熱装置３からの燃焼排気（燃焼ガス）を筐体外部へ導くとともに、その途中で燃焼排気を油槽２の外側面に接触させる排気通路４と、調理時間や調理温度等を制御する図示しないコントローラと、から主に構成される。
【００１６】
図１に示されるように、筐体前面には、調理時間や調理温度等の調整を行うための操作部が配置された操作パネル５が配設されているとともに、筐体後部には油槽２の上部よりも上方に突出する突出部６が形成され、該突出部６の上端面には、排気通路４に連通し、燃焼排気が排気される排気口７が形成されている。なお、以下の説明において、操作パネル５側をフライヤー１の前方、突出部６側を後方として説明する。
【００１７】
筐体内に内設された油槽２は、特に図２に示されるように、上面が開口する箱状に形成され、主に食材が調理される上方の調理部２ａと、主に調理油が加熱される加熱部２ｂと、から構成され、該加熱部２ｂは、調理部２ａの下部から下方に向けて延設されるとともに、調理部２ａよりも左右幅が幅狭に形成されている。
【００１８】
図２、図３に示されるように、加熱部２ｂの断面形状は、左側面部２ｃ、右側面部２ｅ、前面部２ｄ、後面部２ｆ、底面部２ｇと、により、前後幅が左右幅よりも長寸の長方形状に形成されており、左側面部２ｃの外側には、前述した燃焼加熱装置３が設けられているとともに、右側面部２ｅ、前面部２ｄ、後面部２ｆの外側には、右通路部４ａ、前通路部４ｂ、後通路部４ｃからなる排気通路４が加熱部２ｂの周囲を囲むように形成されている。なお、後通路部４ｃの上部は、図２に示されるように上方に向けて延設され、突出部６の上部に設けられた排気口７に連通している。
【００１９】
燃焼加熱装置３は、特に図３に示されるように、ガス供給量を制御するためのガス遮断弁、圧力調整器、ガス制御弁等を含む制御装置８（図２参照）と、これら制御装置８を経て供給されるガス燃料と燃焼用空気とを混合して作られた空気とガスとの混合気体を、供給管９を介してバーナ１０に圧送して供給する送風機１１と、バーナ１０の上流側に設けられるチャンバ室１２と、チャンバ室１２の下流側に設けられるバーナ１０と、油槽２の左側面部２ｃに対して若干の間隙をもって設置された噴出体１３と、から主に構成される。
【００２０】
バーナ１０は、適当な炎口負荷を有するセラミックスまたは金属等の耐熱材料で作成されており、炎口１０ａは、多数の小孔ないし細溝又は小孔と細溝を組み合わせた通気部を有する形態とし、図示しない点火器（点火用の口火でもよい）により燃料と空気の混合気体に点火され、バーナ１０と噴出体１３との間に気密的に設けた袋部１４にて炎が形成される。炎は通常１０００度前後の高温となり、燃焼後の高温の燃焼排気は袋部１４を経て、噴出体１３に設けた多数の噴出口１３ａから高速にて噴出され、加熱面となる左側面部２ｃの外側に存在する断熱性の境界空気膜を破壊して効果的に熱伝達を行うことができるようになっている。
【００２１】
排気通路４は、前述した右通路部４ａ、前通路部４ｂ、後通路部４ｃとから構成され、前通路部４ｂは熱交換部１５に連接されており、バーナ１０からの燃焼後の高温の燃焼排気が流入するようになっている。本実施例における右通路部４ａ内には、複数の仕切板２０ａ、２０ｂが配設されており、図３中矢印で示されるように、燃焼排気が油槽２の外面である右側面部２ｅに対し進退する方向、すなわち、右側面部２ｅに対して略垂直な垂線の方向に蛇行流動するように配設されている。
【００２２】
ここで、排気通路４の一部である右通路部４ａの具体的な構造を、図３〜図５に基づいて説明すると、右通路部４ａは、鉄板により断面コ字状に形成される外壁板２１により外壁が形成されている。この外壁板２１の両端からは、外向きに延びる取付片２２が形成されており、この取付片２２の長手方向にわたって複数形成された取付穴２３内に、右側面部２ｅから突設された取付ネジ２４を挿通し、取付穴２３から突出した取付ネジ２４の先端にナット２５を螺入することで、油槽２の右側面部２ｅに外側から取り付けられている。なお、本実施例において、外壁板２１は、右側面部２ｅの表面と取付片２２との間に肉薄の断熱材２７を挟持した状態で取り付けられている。
【００２３】
外壁板２１の内側には、左右幅（図５中における左右方向の幅寸法）が外壁板２１の左右幅とほぼ同寸に形成された仕切板２０ａと、左右幅が外壁板２１の左右幅よりも若干小寸に形成された仕切板２０ｂ（本実施例では仕切板２０ａが５つ、仕切板２０ｂが６つ）とが、それぞれ外壁板２１の長手方向（前後方向）にわたって所定間隔おきに交互に配設されている。
【００２４】
また、これら仕切板２０ａ、２０ｂの上下幅は、外壁板２１の上下幅とほぼ同寸とされており、それぞれの端部に屈曲形成された屈曲片を介して溶接にて取り付けられている。また、仕切板２０ａにおける外壁板２１側寄りには、略楕円形の流通穴２６が、上下方向に向けて所定間隔おきに複数形成されている。
【００２５】
外壁板２１の外側には、該外壁板２１の上下の水平片外面に止着された取付板２８を介して断熱板２９が装着されており、排気通路４内部を通過する燃焼排気熱が外壁板２１を介して放熱されることが防止されている。
【００２６】
このように、燃焼排気の排気方向に向けて、左右幅（高さ）の異なる２種類の仕切板２０ａ、２０ｂが、右側面部２ｅ側と外壁板２１側とに交互に配設されていることで、熱交換部１５から前通路部４ｂを通過して右通路部４ａに進入した燃焼排気は、特に図３に示されるように、油槽２の右側面部２ｅに対し進退する方向に蛇行（往復）しながら右通路部４ａを通過し、後通路部４ｃ、排気口７を介して外部に排気される。
【００２７】
すなわち、右通路部４ａ内においては、燃焼排気の流動通路が、仕切板２０ｂの左側端部と右側面部２ｅの表面との間に形成される隙間と、仕切板２０ａの流通穴２６と、により形成され、これらが互いに左右方向に異なる位置にずれて形成されているため、燃焼排気が油槽２の右側面部２ｅに対し進退する方向に蛇行流動することになる。
【００２８】
従って、右通路部４ａ内に進入した燃焼排気は、仕切板２０ｂにより右側面部２ｅ側に向けて誘導され、仕切板２０ａにより右側面部２ｅから離間する方向、すなわち外側に向けて誘導され、これを交互に繰返しながら蛇行流動するため、仕切板２０ａ、２０ｂとの衝突により抵抗を受けて流動速度が低下するばかりか、右通路部４ａ内における燃焼排気の流動距離が長くなり、燃焼排気を油槽２の外面である右側面部２ｅに十分に接触させた後に排出させることができるため、熱交換が効果的に促進される。
【００２９】
さらに、仕切板２０ａ、２０ｂにより燃焼排気の流れが遮られることにより右通路部４ａ内において縮流または渦流が発生し、右通路部４ａ内における滞留時間が長くなるため、油槽２の右側面部２ｅにおける熱伝導率がより効果的に高まる。また、燃焼排気が仕切板２０ｂにより右側面部２ｅ側に向けて誘導されることで、燃焼排気が右側面部２ｅに積極的に衝突されることになるため、熱伝導がより効率よく行われる。
【００３０】
また、仕切板２０ａ、２０ｂは、右側面部２ｅとの間に僅かな間隙Ｌ１（図５参照）が形成されるように非接触状態で配設されていることで、油槽２の熱が仕切板２０ａ、２０ｂに直接伝達されることがないので、例えばバーナ１０による加熱の開始前において、送風機１１にて排気通路４内に空気を圧送して内部に残留する燃焼排気を強制的に排気させるプレパージの実行時や、バーナ１０による加熱の終了後において、送風機１１にて排気通路４内に空気を圧送して内部に残留する燃焼排気を強制的に排気させるポストパージ時等において、仕切板２０ａ、２０ｂにより油槽２の放熱が急速に行われることが防止され、これにより調理油の温度調整が複雑化することを回避できる。
【００３１】
さらに、仕切板２０ａ、２０ｂの溶接またはろう接による歪みや油槽２を構成する素材の劣化を防ぎ、かつ、油槽２の溶接部等の経年劣化を回避できる。さらに、製造工程も単純になり、製品品質が向上できる一方で、製造コストを抑えることができる。
【００３２】
また、外壁板２１が油槽２とは別体に形成されるとともに、該外壁板２１に複数の仕切板２０ａ、２０ｂが一体的に取り付けられていることで、複数の仕切板２０ａ、２０ｂを直接右側面部２ｅに取り付ける場合に比べて比較的簡単に排気通路４内に配設することができる。
【００３３】
以上、本発明の実施例を図面により説明してきたが、具体的な構成はこれら実施例に限られるものではなく、本発明の要旨を逸脱しない範囲における変更や追加があっても本発明に含まれる。
【００３４】
例えば、前記実施例における仕切板２０ａ、２０ｂは、燃焼排気が油槽２の外面である右側面部２ｅに対し進退する方向、つまり右側面部２ｅに近ずいたり遠ざかる方向（右側面部２ｅに対する垂線の方向）流動を繰り返しながら蛇行流動するように配設されていたが、例えば図６に示されるように、燃焼排気が油槽２の外面に沿ったまま蛇行流動するように配設されていてもよい。
【００３５】
このような例を具体的に説明すると、図６（ａ）には、燃焼排気の流動通路が右通路部４ａの上下部に交互に形成されるように、上下幅が右通路部４ａの上下幅よりも小寸の縦向きの仕切板３０ａ、３０ｂが交互に配設された例が示されており、この場合、燃焼排気は図中矢印で示されるように、油槽２の外面に沿ったまま上下方向に蛇行流動する。また、図６（ｂ）には、燃焼排気の流動通路が右通路部４ａの上流側端部及び下流側端部に交互に形成されるように、前後幅が右通路部４ａの前後幅よりも小寸の横向きの仕切板４０ａ、４０ｂが交互に配設された例が示されており、この場合、燃焼排気は図中矢印で示されるように、油槽２の外面に沿ったまま前後方向に蛇行流動する。さらに、特に図示はしないが、例えば図６（ａ）に示される仕切板３０ａ、３０ｂを前方または後方に向けて傾斜させることで、燃焼排気を上下及び前後方向に蛇行流動させるようにしてもよい。
【００３６】
このように燃焼排気を油槽２の外面に沿ったまま蛇行流動させることで、燃焼排気は右通路部４ａ内において上下方向または前後方向に蛇行流動しても、油槽２の外面から離れることがないので、排気通路４内における燃焼排気と油槽２の外面との接触時間を極力長くすることができる。
【００３７】
また、前記実施例におけるバーナ１０は、油槽２の左側面部２ｃの外側に配置されていたが、バーナによる加熱位置は油槽２の左側面部２ｃに限定されるものではなく、右側面部２ｅや前後側面部２ｄ、２ｆであってもよいし、あるいは底面部２ｇ等に配置されていてもよい。
【００３８】
また、前記実施例における仕切板２０ａ、２０ｂは、右通路部４ａのみに配設されていたが、前通路部４ｂや後通路部４ｃ等に配設されていてもよい。
【００３９】
また、前記実施例における仕切板２０ａには、燃焼排気の流動通路を形成するための流通穴２６が複数形成されていたが、仕切板２０ｂと左右幅が同寸の仕切板を左右に交互にずらして配置することにより燃焼排気の流動通路を形成してもよい。
【００４０】
また、前記実施例における仕切板２０ａ、２０ｂは、油槽２の右側面部２ｅの表面に対して間隙Ｌ１分だけ離間配置されていたが、右側面部２ｅに当接されていてもよい。
【図面の簡単な説明】
【００４１】
【図１】本発明の実施例としてのフライヤー１の全体像を示す斜視図である。
【図２】図１のＡ−Ａ断面図である。
【図３】図２のＢ−Ｂ断面図である。
【図４】排気通路を構成する排気ユニットを示す斜視図である。
【図５】排気通路の要部拡大断面図である。
【図６】（ａ）（ｂ）は変形例としての排気通路を示す断面図である。
【符号の説明】
【００４２】
１              フライヤー
２              油槽
２ａ            調理部
２ｂ            加熱部
２ｃ            左側面部
２ｄ            前面部（外面）
２ｅ            右側面部（外面）
２ｇ            底面部
２ｆ            後面部（外面）
３              燃焼加熱装置
４              排気通路
４ａ            右通路部
４ｂ            前通路部
４ｃ            後通路部
８              制御装置
１０            バーナ
１１            送風機
１２            チャンバ室
１３            噴出体
１３ａ          噴出口
１５            熱交換部
２０ａ、２０ｂ  仕切板
２１            外壁板
２６            流通穴
２７、２９      断熱材
２８            取付板
３０ａ、３０ｂ  仕切板
４０ａ、４０ｂ  仕切板
【図１】
2007007272.tif 000003
【図２】
2007007272.tif 000004
【図３】
2007007272.tif 000005
【図４】
2007007272.tif 000006
【図５】
2007007272.tif 000007
【図６】
2007007272.tif 000008